(57)【特許請求の範囲】
【請求項１】
複数の被見守り者が行動する複数のエリアの何れかに設置されたＮ台の無線タグリーダと連動し、Ｍ台の映像カメラからの映像データを受信し、前記被見守り者の各々の見守り映像データを収集する映像収集装置であって、
前記被見守り者の各々と対応付けられたＩＤを記憶する被見守り者ＩＤ記憶手段と、前記Ｍ台の映像カメラの各々からの映像データを受信する映像データ受信手段と、前記Ｍ台の映像カメラの何れかに対応付けられた前記Ｎ台の無線タグリーダの何れかから当該無線タグリーダが読取ったＩＤを受信するＩＤ受信手段と、前記受信した映像データを変換する処理または前記ＩＤと対応付けて蓄積する処理または所定の宛先へ転送する処理を実行するＩＤ対応映像データ処理手段と、を有し、
前記ＩＤ受信手段が前記無線タグリーダから前記被見守り者ＩＤ記憶手段に記憶されているＩＤを受信していない場合に、前記ＩＤ対応映像データ処理手段は、前記Ｍ台の映像カメラの各々から受信した複数の映像データを切替えながら表示するまたは複数の小画面に分割して表示する映像データに変換し、前記変換した映像データを所定の映像表示装置へ転送する処理の実行を繰り返し、
前記ＩＤ受信手段が前記無線タグリーダの何れかから前記被見守り者ＩＤ記憶手段に記憶されている何れかのＩＤを受信した場合に、前記ＩＤ対応映像データ処理手段は、前記ＩＤ受信手段が当該ＩＤを受信している間の映像データを当該ＩＤと対応付けて蓄積する処理または所定の宛先へ転送する処理を実行することを特徴とする見守り映像収集装置。
【発明の詳細な説明】
【技術分野】
【０００１】
本発明は、複数の被見守り者が行動するエリアに設置され、所定の無線タグリーダと対応付けられた映像カメラから映像データを受信し、被見守り者毎の映像データを収集する映像収集装置に関する。
【背景技術】
【０００２】
近年、一人暮らしの高齢者が増加する傾向にある。そのために、一人暮らしの高齢者の健康状態を、その家族や看護士などの見守り者が常に把握するための遠隔見守り装置に係る技術が知られている（例えば、特許文献１）。
【０００３】
この特許文献１に記載された技術は、高齢者が一人住まいしている住居において高齢者の生活状態に係る生活データと住居の予め定めた任意場所で撮影した高齢者の映像データを管理センタのサーバに送信し、サーバが高齢者の映像データとトレンドデータを管理保持して、見守り者の携帯電話からの要求によって映像データを配信するものである。
【０００４】
しかしながら、特許文献１に記載された技術は、見守るべき高齢者と該高齢者の様子をモニターする映像カメラが対応している必要があるため、見守るべき多数の高齢者が生活する集合住宅または介護施設等に適用するには、見守るべき高齢者の人数分の映像カメラが必要となり、不経済である。
【先行技術文献】
【特許文献】
【０００５】
【特許文献１】特開2 0 0 4 - 3 1 3 4 6 1号公報
【発明の概要】
【発明が解決しようとする課題】
【０００６】
そこで、本発明の課題は、高齢者等の多数の被見守り者が生活する集合住宅または介護施設等において、少数の映像カメラで多数の被見守り者を撮像し、且つ、被見守り者毎の映像データを収集できる映像収集装置を提供することにある。
【課題を解決するための手段】
【０００７】
上記課題を解決するために、本発明は、複数の被見守り者が行動する複数のエリアの何れかに設置されたＮ台の無線タグリーダと連動し、Ｍ台の映像カメラからの映像データを受信し、前記被見守り者の各々の見守り映像データを収集する映像収集装置であって、前記被見守り者の各々と対応付けられたＩＤを記憶する被見守り者ＩＤ記憶手段と、前記Ｍ台の映像カメラの各々からの映像データを受信する映像データ受信手段と、前記Ｍ台の映像カメラの何れかに対応付けられた前記Ｎ台の無線タグリーダの何れかから当該無線タグリーダが読取ったＩＤを受信するＩＤ受信手段と、前記受信した映像データを変換する処理または前記ＩＤと対応付けて蓄積する処理または所定の宛先へ転送する処理を実行するＩＤ対応映像データ処理手段と、を有し、前記ＩＤ受信手段が前記無線タグリーダから前記被見守り者ＩＤ記憶手段に記憶されているＩＤを受信していない場合に、前記ＩＤ対応映像データ処理手段は、前記Ｍ台の映像カメラの各々から受信した複数の映像データを切替えながら表示するまたは複数の小画面に分割して表示する映像データに変換し、前記変換した映像データを所定の映像表示装置へ転送する処理の実行を繰り返し、前記ＩＤ受信手段が前記無線タグリーダの何れかから前記被見守り者ＩＤ記憶手段に記憶されている何れかのＩＤを受信した場合に、前記ＩＤ対応映像データ処理手段は、前記ＩＤ受信手段が当該ＩＤを受信している間の映像データを当該ＩＤと対応付けて蓄積する処理または所定の宛先へ転送する処理を実行することを特徴とする。
【発明の効果】
【０００８】
本発明によれば、少ない映像カメラで多数の被見守り者を撮像することが出来、且つ、多数の被見守り者の各々の映像データを個別に収集して蓄積または所定の宛先へ転送することが出来るので、多数の被見守り者が生活する集合住宅または介護施設等に設置する、見守りシステムに好適な見守り映像収集装置を提供することが出来る。また本発明で使用する映像カメラは一般的な防犯カメラとして兼用することも可能である。
【図面の簡単な説明】
【０００９】
【図１】本発明による見守り映像収集装置の内部ブロック構成を含む全体図
【図２】被見守り者データ記憶部１６の記憶内容の例
【図３】本発明による見守り映像収集装置の動作フローチャート
【発明を実施するための形態】
【００１０】
以下、本発明の実施形態について、図面を用いて説明する。図１は、本発明による見守り映像収集装置（以下、本装置と略す）の内部ブロック構成を含む全体図である。
【００１１】
まず、本装置１を含むシステムの全体構成を説明する。映像カメラ２−１〜２−Ｍは、高齢者等の多数の被見守り者が生活する集合住宅または介護施設等で不特定多数が行動する共通エリア（例えば、ロビー，玄関，庭等）に設置された映像カメラであって、各共通エリアに設置された映像カメラ２は、その共通エリアで行動する各被見守り者の様子を見守る映像データを本装置１へ送信する。
【００１２】
無線タグリーダ３−１〜３−Ｎは、映像カメラ２−１〜２−Ｍのいずれかに対応付けられており、近傍に存在する被見守り者が所持する携帯物や着衣に貼られた無線タグ（図示せず）から、当該無線タグが記憶しているＩＤ（Identification）データを読取り、本装置１へ送信する。
【００１３】
そして、本装置１は、各映像カメラ２から受信した映像データを、管理人室や介護士控え室等に設置されている映像表示装置４に写し、各被見守り者の様子をモニター可能とする。
【００１４】
また、本装置１は、各映像カメラ２から受信した映像データと無線タグリーダ３−１〜３−Ｎから受信したＩＤデータにより各被見守り者毎の映像データに編集して蓄積する。さらに、編集した各被見守り者毎の映像データを、転送先６の要求に応じて、転送先６−１〜６−Ｌの何れかへネットワーク５を介して転送する。
【００１５】
以下、本装置１の内部ブロック構成について詳細に説明する。本装置１は、映像データ受信処理部１０、映像データ変換処理部１１、映像データ蓄積部１２、映像データ切替部１３、通信制御部１４、ＩＤ受信部１５、被見守り者データ記憶部１６、映像データ収集転送制御部１７から構成される。
【００１６】
映像データ受信処理部１０は各映像カメラ２から映像データを受信し、受信した各映像カメラ２からの映像データを切替えて、または小画面に分割して映像表示装置４に表示させる。また、受信した各映像カメラ２から映像データを映像データ変換処理部１１へ転送する。
【００１７】
映像データ変換処理部１１は、映像データ受信処理部１０からの映像データを、蓄積または転送する映像のサイズ，解像度，符号化方式に変換する手段である。なお、この映像データの変換処理は通信制御部１４側で実施するようにしてもよい。
【００１８】
映像データ蓄積部１２は、映像データ変換処理部１１が変換した映像データを蓄積する手段であり、無線タグリーダ３が読取ったＩＤデータと対応付けて、即ち被見守り者毎の映像データとして分別して蓄積する。また、映像データ収集転送制御部１７からの指示に応じて、所定の映像データを出力する。なお、メモリ容量が満杯になった場合、古い映像データを新しい映像データで上書きする。
【００１９】
映像データ切替部１３は、映像データ変換処理部１１が変換したリアルタイム（処理遅延はある）の映像データと、映像データ蓄積部１２に蓄積されている過去の映像データを、映像データ収集転送制御部１７からの指示に応じて、切替えて通信制御部１４へ伝達する手段である。
【００２０】
通信制御部１４は、映像データ収集転送制御部１７からの指示に応じて、映像データ切替部１３からの映像データを、ネットワーク５を介して転送先６へ転送すると共に、転送先６からの要求データを映像データ収集転送制御部１７へ伝達する手段である。なお、この通信制御部１４は、映像データを転送先である転送先６の映像機器に応じて、転送する映像のサイズ，解像度，フレームレート，符号化方式を変換する機能も具備する。例えば、転送先である転送先６の映像機器が携帯電話機であった場合、符号化方式をその携帯電話機の映像通信方式に変換すると共に、映像のサイズ，解像度を変換し、フレームレートも落す（コマ落とし）。
【００２１】
ＩＤ受信部１５は、無線タグリーダ３からのＩＤデータを受信し、受信したＩＤデータを映像データ収集転送制御部１７へ通知する手段である。
【００２２】
被見守り者データ記憶部１６は、各被見守り者のＩＤデータおよび被見守り者の各々と対応付けられた通報先に係る情報を含む被見守り者データを記憶する手段である。
【００２３】
映像データ収集転送制御部１７は、本装置１の全体を制御すると共に、映像データ蓄積部１２，映像データ切替部１３，通信制御部１４を制御して、所定の映像データを、ネットワーク５を介して所定の転送先６へ転送させる。
【００２４】
図２は、被見守り者データ記憶部１６に記憶されている被見守り者データの例であり、列２０１には被見守り者の氏名、列２０２には被見守り者に対応する無線タグが記憶しているＩＤデータ、列２０３には見守り映像を自動的に所定の転送先６へ転送するか否かの設定、列２０４には各被見守り者に対応する映像データの転送先、列２０５には各被見守り者の無線タグを検知して撮像した収集映像データに関する情報が記憶されている。
【００２５】
なお、この例では、列２０５に、各被見守り者を最近検知した無線タグリーダ３が設置された場所も記憶している。従って、この列２０５は、各被見守り者の最近の行動の記録であり、その行動パターンから当該被見守り者の日常生活の正常性をモニターすることも可能である。
【００２６】
図３は本装置１の動作フローチャートである。以下、図１，図２を併用して、本装置１の動作フローを説明する。本フローは本装置１の電源が投入された状態からスタートする（Ｓ３００）。
【００２７】
本フロースタート後、映像データ受信処理部１０は、各映像カメラ２から受信した映像データを、切替えながら、または複数の小画面に分割して、映像表示装置４に表示させ（Ｓ３０１）、無線タグリーダ３からＩＤデータを受信しなければ（Ｓ３１０，ＮＯ）、Ｓ３０１を繰り返す。
【００２８】
無線タグリーダ３が被見守り者の携帯物または被服に貼られた無線タグからＩＤデータを読込み、ＩＤ受信部１５が無線タグリーダ３からのＩＤデータを受信すると（Ｓ３１０，ＹＥＳ）、映像データ変換処理部１１は、そのＩＤデータを送信してきた無線タグリーダ３に対応する映像カメラ２からの映像データを所定のサイズ，解像度，符号化方式に変換し（Ｓ３１１）、変換した映像データを映像データ蓄積部１２にＩＤデータ別に分別して見守り映像データとして蓄積する（Ｓ３１２）。
【００２９】
例えば、図２において、被見守り者の一人である山田Ａ男がロビーに行った場合、ロビーに設置されている無線タグリーダ３−１が山田Ａ男の携帯物または被服に貼られた無線タグからＩＤデータとして「ＩＤ−Ａ」を読込む。すると、無線タグリーダ３−１に対応付けられてロビーに設置されている映像カメラ２−１からの映像データが「ＩＤ−Ａ」の映像データとして映像データ蓄積部１２に蓄積される。その後、山田Ａ男がエンタランスを通って外出する際、エンタランスに設置されている無線タグリーダ３−２が山田Ａ男の無線タグを検知し、対応する映像カメラ２−２（図示せず）からの映像データを「ＩＤ−Ａ」の映像データとして映像データ蓄積部１２に蓄積される。以下同様に、無線タグリーダ３が山田Ａ男のＩＤデータである「ＩＤ−Ａ」検知する都度、対応する映像カメラ２から映像データが「ＩＤ−Ａ」の映像データとして蓄積されていく。
【００３０】
Ｓ３１２の後、受信したＩＤデータ、映像自動転送モードが設定されているか否かを判定し（Ｓ３２０）、設定されていれば（Ｓ３２０，ＹＥＳ）、被見守り者ＩＤに対応する転送先へ当該映像データを転送する（Ｓ３２１）。この転送先は、例えば、図２において、山田Ａ男の転送先である転送先Ａである。映像自動転送モードが設定されていなければ（Ｓ３２０，ＮＯ）、Ｓ３２１をスキップする。
【００３１】
なお、Ｓ３２０に関し、映像自動転送モードを設定した場合、被見守り者の行動が自動的に転送され、見守る側にとっては安心だが、被見守り者にとっては監視されている感覚がある。映像自動転送モードを設定しない場合、被見守り者のプライバシーは多少保護されるが、見守る側にとっては不安となる。そこで、本実施例では、被見守り者毎に映像自動転送モードを自由に設定できるようにしている（図２の列２０３）。
【００３２】
通信制御部１４が、被見守り者のいずれかからに対応する映像データの転送を要求する転送要求コマンドを受信すると（Ｓ３３０，ＹＥＳ）、映像データ収集転送制御部１７は、当該転送要求コマンドの送信元が、被見守り者データ記憶部１６に記憶されている許可された転送先（図２の列２０４）か否かを判定する（Ｓ３４０）。
【００３３】
Ｓ３４０でＹＥＳであれば、映像データ収集転送制御部１７は、当該転送先に対応する被見守り者の映像データを、通信制御部１４，ネットワーク５を介して当該転送先へ転送する（Ｓ３４１）。ここで、転送する映像データは、当該転送要求コマンドの要求内容に応じて、映像データ切替部１３を制御し、映像データ受信処理部１０が現在受信している当該被見守り者を撮像している映像カメラ２からのリアルタイムの映像データを転送するのか、映像データ蓄積部１２に蓄積されている過去の映像データの所定の部分を転送するのかを制御する。Ｓ３３０、Ｓ３４０でＮＯであれば、Ｓ３１０に戻る。
【００３４】
以上、本発明の一実施の形態について説明した。本実施形態によれば、少数の映像カメラが撮像した多数の被見守り者の映像データを、被見守り者の各々の映像データとして分別して蓄積できるので、多数の高齢者が生活する集合住宅または介護施設等に設置する見守りシステムに好適な映像転送装置を提供することが出来る。
【００３５】
なお、本実施形態において、映像データ受信処理部１０を本装置１に内蔵しているとして説明したが、この映像データ受信処理部１０は本装置１の外部機器として連携するようにしてもよい。
【符号の説明】
【００３６】
１・・・本発明による見守り映像収集装置
２・・・映像カメラ
３・・・無線タグリーダ
４・・・映像表示装置
５・・・ネットワーク
６・・・転送先
１０・・・映像データ受信処理部
１１・・・映像データ変換処理部
１２・・・映像データ蓄積部
１３・・・映像データ切替部
１４・・・通信制御部
１５・・・ＩＤ受信部
１６・・・被見守り者データ記憶部
１７・・・映像データ収集転送制御部
【図１】
0005678785.tif 000002
【図２】
0005678785.tif 000003
【図３】
0005678785.tif 000004